(57)【特許請求の範囲】
【請求項１】
一端に閉止体が溶接され他端に固定鉄心が溶接された筒状の中空材と、該中空材内で軸方向に摺動可能にされた可動鉄心と、前記中空材の外周に挿着されたコイルと、前記中空材外周に前記コイルに当接して設けられた環状のヨークと、該ヨークに当接し前記ヨークと前記コイルと前記固定鉄心と前記可動鉄心とを内蔵するように設けられかつ前記コイルと前記固定鉄心と前記可動鉄心と前記ヨークとで磁気回路を形成するようにされたケースと、を有する油浸形電磁弁用ソレノイドであって、前記固定鉄心外径は前記コイル内径と隙間なく嵌合され、前記固定鉄心側の前記中空材の外径は前記コイル内径より小径にすることにより両者間に隙間を設けて前記中空材と溶接されたたままの固定鉄心を前記コイル内径内に挿入可能にし、前記閉止体の外径を前記中空材外径より小径にしかつ前記中空材の閉止体側端部は小径にされた閉止体と溶接するよう小径にすることにより前記中空材と溶接されたたままの閉止体が前記コイル内径内に挿入可能にし、溶接後に溶接部の盛り上がり部を機械加工で中空材外径寸法以下に切削する仕上加工を不要にし、加工工数の増大、中空材肉厚の低下や溶接部の削除による強度低下をなくし、そして前記ヨーク内径は前記中空材外径と隙間なく嵌合することにより磁力の低下の問題をなくしながらも、組付が容易で磁気特性の優れたことを特徴とするソレノイド。
【請求項２】
前記コイル及び固定鉄心はそれぞれほぼ対称に二個設けられ、前記閉止体に代えて外方の固定鉄心の内方が小径にされ、前記中空材の閉止体側端部は小径にされた固定鉄心内方と溶接するようされたことを特徴とする請求項１記載のソレノイド。
【発明の詳細な説明】
【０００１】
【産業上の利用分野】
この発明は、油浸形電磁弁のソレノイドに関する。
【０００２】
【従来の技術】
従来の油浸形電磁弁のソレノイドの構造は、例えば実開昭５９−１５４５４号公報に示すように、一端に閉止体が溶接され他端に固定鉄心が溶接された筒状の中空材と、該中空材内で軸方向に摺動可能にされた可動鉄心と、中空材の外周に挿着されたコイルと、中空材外周にコイルに当接して設けられた環状のヨークと、ヨークに当接しヨークとコイルと固定鉄心と可動鉄心とを内蔵するように設けられかつコイルと固定鉄心と可動鉄心とヨークとで磁気回路を形成するようにされたケースと、を有し、閉止体及び固定鉄心の円筒部外径と中空材の外径は同一寸法にされ、これに対して、中空材等が嵌め込まれるコイルとヨークの内径寸法はほぼ同寸法とされ、両者間の空隙をできる限り小さくなるようにされていた。このため、溶接後の盛り上がり部を除くよう、溶接部附近に機械加工を施し、溶接後にこの盛り上がり部を機械加工で中空材外径寸法以下に削っていた。しかし、かかる中空部材に機械加工を施すことは、加工工数の増大、肉厚の低下や溶接部の削除による強度低下等の問題があった。
【０００３】
そこで、特開平８−２１３２３０号公報では、溶接後の盛り上がり部を除くことなくコイルの組付を可能にするため、固定鉄心外径は前記コイル内径と隙間なく嵌合され、固定鉄心側の中空材の外径はコイル内径より小径にされ両者間に隙間を設けるようにし、閉止体の外径を中空材外径と同径にしかつヨーク内径は中空材外径と隙間なく嵌合するように、２つ割れにされ、組付け時に閉止体と中空材との溶接部の盛り上がり部を避けて組合せた上、ケースで固定していた。このため、ケース外方内径は閉止体及び中空材の各外径より大きくされたので、この部分を磁路として有効に使用できず磁力の低下を招き、ヨークを厚くするなどの対策を要し、かつコイル関係部品組付けではＯリング、コイル、ヨーク、ケース等を１つ１つ組付ける必要があり、特に２つ割れのヨーク組付けが難しく工数を要した。さらにかかる構造のものは２個のコイルを使用した２方向操作の複動ソレノイドには使用できなかった。
【０００４】
【発明が解決しようとする課題】
本発明の目的は、前述したような問題点に鑑みて、中空材の機械加工による仕上を不要としながらも、磁力の低下がなく、組付が容易で磁気特性の優れたソレノイドを提供することにある。
【０００５】
【課題を解決するための手段】
上記目的を達成するために、本発明においては、一端に閉止体が溶接され他端に固定鉄心が溶接された筒状の中空材と、該中空材内で軸方向に摺動可能にされた可動鉄心と、前記中空材の外周に挿着されたコイルと、前記中空材外周に前記コイルに当接して設けられた環状のヨークと、該ヨークに当接し前記ヨークと前記コイルと前記固定鉄心と前記可動鉄心とを内蔵するように設けられかつ前記コイルと前記固定鉄心と前記可動鉄心と前記ヨークとで磁気回路を形成するようにされたケースと、を有する油浸形電磁弁用ソレノイドであって、前記固定鉄心外径は前記コイル内径と隙間なく嵌合され、前記固定鉄心側の前記中空材の外径は前記コイル内径より小径にすることにより両者間に隙間を設けて前記中空材と溶接されたたままの固定鉄心を前記コイル内径内に挿入可能にし、前記閉止体の外径を前記中空材外径より小径にしかつ前記中空材の閉止体側端部は小径にされた閉止体と溶接するよう小径にすることにより前記中空材と溶接されたたままの閉止体が前記コイル内径内に挿入可能にし、溶接後に溶接部の盛り上がり部を機械加工で中空材外径寸法以下に切削する仕上加工を不要にし、加工工数の増大、中空材肉厚の低下や溶接部の削除による強度低下をなくし、そして前記ヨーク内径は前記中空材外径と隙間なく嵌合することにより磁力の低下の問題をなくしながらも、組付が容易で磁気特性の優れたことを特徴とするソレノイドを提供することにより解決した。
【０００６】
かかる構成によると、固定鉄心側の中空材の外径はコイル内径より小径にされ両者間に隙間を設けるようにされ、閉止体の外径を前記中空材外径より小径にしかつ前記中空材の閉止体側端部は小径にされた閉止体と溶接するよう小径にされいるので、溶接後に溶接部の盛り上がり部を機械加工で中空材外径寸法以下に切削する仕上加工を不要とすることにより、加工工数の増大、肉厚の低下や溶接部の削除による強度低下、磁力の低下の問題をなくしながらも、組付が容易で磁気特性の優れたソレノイドを提供するものとなった。
【０００７】
好ましくは、コイル及び固定鉄心はそれぞれほぼ対称に二個設けられ、前記閉止体に代えて外方の固定鉄心の内方が小径にされ、前記中空材の閉止体側端部は小径にされた固定鉄心内方と溶接するようされたことにより、２個のコイルを使用して２方向２方向操作の複動ソレノイドを得ることができる。
【０００８】
１
【発明の実施の形態】
本発明の第一の実施の形態である油浸形電磁弁のソレノイドを示す図１を参照して説明する。図１の（ａ）はソレノイドの概略縦断面図、（ｂ）は（ａ）のＢ部の部分拡大図を示す。図１（ａ）及び（ｂ）において、中空材１には、一端に閉止材２と他端に固定鉄心３とがそれぞれ溶接部１ａ，１ｂで溶接されている。中空材１の外側には、固定鉄心３の鍔３ｃ部に当接して、コイル６が外挿され、コイルに水が入るのを防ぐためのＯリング１０，１１が設けられている。コイル６はボビン、ボビンに巻回された巻線、及び巻線の外部電源の接続のために電線を用いるが、その電線の外周部から水が入るのを防ぐためのパッキン６ｃがモールド材６ｄによって一体に成形されている。さらに中空材１の外側にコイル６に当接してヨーク４が設けられ、ケース５がこれらの部品を覆うように取付られている。ケース５は固定鉄心３の鍔３ｃと閉止材２に設けられたねじ２ａに螺着されたナット１３とで挟持され、コイル等が固定されソレノイドが形成されている。
【０００９】
固定鉄心３外径ｄ１はコイル６内径と隙間なく嵌合され、固定鉄心側の中空材１の外径ｄ２はコイル６内径より小径にされ両者間に隙間を設けるようにされており、固定鉄心３外周と中空材１外周との溶接部１ｂの盛り上がり部を避けてコイル６が挿入されるようにされている。閉止体２の外径ｄ３は中空材１の外径ｄ２より小径にし、かつ中空材１の閉止体側端部は小径にされた閉止体２と溶接するよう小径にされている。従って中空材１の閉止体側端部と閉止体２との溶接部１ａの盛り上がり部を避けてコイル６、ヨーク４、ケース５が挿入されるようにされている。そしてヨーク４内径は中空材１外径と隙間なく嵌合するようにしたので、特開平８−２１３２３０号公報のように、ケース外方内径を閉止体及び中空材の各外径より大きくされて、この部分を磁路として有効に使用できないために磁力の低下を招くことがなく、中空材の機械加工による仕上を不要としながらも、磁力の低下がなくなり、ヨーク４を厚くすることは不要となった。さらにコイル関係部品組付けではＯリング１０、１１、コイル６、ヨーク４、ケース５等をアッセンブリーとして組付け、固定鉄心３外周と中空材１外周に組付けできるので、１つ１つ組付ける必要がなく、特にヨーク組付けを含むコイル関係部品の組付けが容易になった。
【００１０】
本発明の第二の実施の形態の油浸形電磁弁のソレノイドを図２を参照して説明する。（ａ）はソレノイドの概略縦断面図、（ｂ）は（ａ）のＢ部の部分拡大図を示す。図２に示すように、コイル６ａ，６ｂ及び固定鉄心３ａ，３ｂはそれぞれほぼ対称に二個設け、図１の閉止体２に代えて外方の固定鉄心３ｂの内方が小径にされ、中空材１の閉止体側端部を小径にして固定鉄心３ｂの内方と溶接された。ヨーク４ａ、４ｂ、４ｃのうち、ヨーク４ａは固定鉄心３ａと一体又はソレノイドを取りつける相手方部品を磁路として使用して、ヨーク４ａを省くことができる。ヨーク４ｂと４ｃを共通部品とするため、ヨーク４ｃの内径ｄ４をヨーク４ｂの内径（固定鉄心側の中空材１の外径ｄ２とほぼ同じ）と同一にしたが、異ならせてもよい。かる構成により、２個のコイルを使用して２方向操作の複動ソレノイドを得ることができる。
【図面の簡単な説明】
【図１】（ａ）は本発明の第一の実施の形態である油浸形電磁弁のソレノイドの概略縦断面図、（ｂ）は（ａ）のＢ部の部分拡大図を示す。
【図２】（ａ）は本発明の第二の実施の形態である油浸形電磁弁のソレノイドの概略縦断面図、（ｂ）は（ａ）のＢ部の部分拡大図を示す。
【符号の説明】
１    中空材
１ａ，１ｂ    溶接部
２    閉止材
３、３ａ、３ｂ    固定鉄心
４、４ａ、４ｂ、４ｃ  ヨーク
５    ケース
６、６ａ、６ｂ    コイル
８    可動鉄心
【図１】
0003798293.tif 000002
【図２】
0003798293.tif 000003